(57)【要約】      （修正有）【課題】様々な用途に使用可能なドライヤを提供する。【解決手段】モータと、モータを駆動源として回転するファンと、ファンの上流側または下流側に配置されたヒータと、モータに電力を供給する電動工具用バッテリ１００を装着可能なバッテリ装着部７０とを備えることにより、キャンプのようなアウトドアまたは作業現場などで、毛髪を乾燥することができる。また、ハウジング２０にアタッチメント（乾燥用保持部材）を装着することにより、衣服または靴などの乾燥に使用できる。【選択図】図１
2019217104.tif 000002
【特許請求の範囲】
【請求項１】
モータと、
前記モータを駆動源として回転するファンと、
前記ファンの上流側または下流側に配置されたヒータと、
前記モータに電力を供給するバッテリを装着可能なバッテリ装着部と、
を備えることを特徴とするドライヤ。
【請求項２】
空気を吸い込む吸込口と、空気を吹き出す吹出口とを有するハウジングと、
ユーザが把持するハンドルハウジングと、
を備え、
前記ハウジングは、前記ハンドルハウジングに対して回動可能に配置されている、
請求項１に記載のドライヤ。
【請求項３】
前記ハウジングの外周と前記ハンドルハウジングの外周と前記バッテリ装着部に装着された前記バッテリとの少なくともいずれかに配置された平坦部、
を備え、
前記平坦部を載置面上に載置した状態で使用可能である、
請求項２に記載のドライヤ。
【請求項４】
前記平坦部は、前記ハウジングの外周と前記ハンドルハウジングの外周と前記バッテリ装着部に装着された前記バッテリとの少なくともいずれかに複数、配置され、
前記ハウジングを前記ハンドルハウジングに対して第一姿勢にした状態と、前記ハウジングを前記ハンドルハウジングに対して回動させて前記第一姿勢と異なる第二姿勢にした状態とにおいて、複数の前記平坦部のうち異なる前記平坦部を載置面上に載置した状態で使用可能である、
請求項３に記載のドライヤ。
【請求項５】
前記ハウジングに着脱可能で、前記吹出口に連結可能な連結口と、乾燥させる対象物を保持する筒状に形成された保持部と、前記保持部に形成された通気口とを有する乾燥用保持部材、
を備え、
前記乾燥用保持部材は、前記ハウジングに装着された状態において、前記吹出口から吹き出された空気が前記連結口から前記保持部の内部に流入して、前記保持部の内部を通過した空気が前記通気口から外部へ流出する、
請求項２から４のいずれか一項に記載のドライヤ。
【請求項６】
前記ハウジングに着脱可能で、前記吹出口から吹き出された空気が流入する開口と、前記吸込口に連結可能な連結口と、前記開口と前記連結口とを接続するパイプ状のパイプ部とを有する循環部材、
を備える請求項２から５のいずれか一項に記載のドライヤ。
【請求項７】
前記ハウジングの外周と前記ハンドルハウジングの外周との少なくともどちらかに配置された吊下部材、
を備える請求項２から６のいずれか一項に記載のドライヤ。
【請求項８】
前記バッテリ装着部は、前記ハンドルハウジングの下部に配置され、前記バッテリをスライドすることで着脱可能である、
請求項２から７のいずれか一項に記載のドライヤ。
【発明の詳細な説明】
【技術分野】
【０００１】
本発明は、ドライヤに関する。
【背景技術】
【０００２】
空気取り入れ口及び空気吹き出し口をハウジングに備え、ハウジング内部の空気を空気取り入れ口から空気吹き出し口に送るファン及びその空気を加熱するヒータを設けたヘアードライヤに関する技術が知られている（例えば、特許文献１参照）。
【先行技術文献】
【特許文献】
【０００３】
【特許文献１】特開２００４−２２２７５１号公報
【発明の概要】
【発明が解決しようとする課題】
【０００４】
特許文献１に記載の技術は、毛髪を乾燥したりセットしたりする用途で使用される。ところが、例えば、キャンプのようなアウトドアまたは作業現場などでは、毛髪を乾燥するだけではなく、衣料品を乾燥させたり、部材を温めたりするなど他の用途にも使用したいことがある。
【０００５】
本発明の態様は、様々な用途に使用可能なドライヤを提供することを目的とする。
【課題を解決するための手段】
【０００６】
本発明の態様に従えば、モータと、前記モータを駆動源として回転するファンと、前記ファンの上流側または下流側に配置されたヒータと、前記モータに電力を供給するバッテリを装着可能なバッテリ装着部と、を備えるドライヤが提供される。
【発明の効果】
【０００７】
本発明の態様によれば、様々な用途に使用可能なドライヤを提供することができる。
【図面の簡単な説明】
【０００８】
【図１】図１は、第一実施形態に係るドライヤを示す側面図である。
【図２】図２は、第一実施形態に係るドライヤを示す斜視図である。
【図３】図３は、第一実施形態に係るドライヤを示す断面図である。
【図４】図４は、第一実施形態に係るドライヤの防水・防塵構造の一例を示す断面図である。
【図５】図５は、第一実施形態に係るドライヤのバッテリ装着部を示す斜視図である。
【図６】図６は、第一実施形態に係るドライヤを示すブロック図である。
【図７】図７は、第一実施形態に係るドライヤの使用方法の一例を示す概略図である。
【図８】図８は、第一実施形態に係るドライヤの他の使用態様を示す概略図である。
【図９】図９は、第二実施形態に係るドライヤを示す側面図である。
【図１０】図１０は、第二実施形態に係るドライヤの使用方法の一例を示す概略図である。
【図１１】図１１は、第二実施形態に係るドライヤの他の使用態様を示す概略図である。
【図１２】図１２は、第三実施形態に係るドライヤを示す側面図である。
【図１３】図１３は、第四実施形態に係るドライヤを示す側面図である。
【図１４】図１４は、第五実施形態に係るドライヤを示す側面図である。
【図１５】図１５は、第六実施形態に係るドライヤを示す正面図である。
【図１６】図１６は、第六実施形態に係るドライヤを示す断面図である。
【図１７】図１７は、ドライヤのバッテリ装着部の他の例を示す正面図である。
【発明を実施するための形態】
【０００９】
以下、本発明の実施形態について、添付図面を参照して詳細に説明する。なお、この実施形態によりこの発明が限定されるものではない。また、下記実施形態における構成要素には、当業者が置換可能かつ容易なもの、または実質的に同一のものを含む。さらに、以下に記載した構成要素は適宜組み合わせることが可能であり、また、実施形態が複数ある場合には、各実施形態を組み合わせることも可能である。
【００１０】
以下の説明においては、Ｘ軸方向を、「前後方向」とする。Ｙ軸方向を、「左右方向」とする。Ｙ軸方向とは、Ｘ軸方向に対して水平面内において直交する方向である。前後方向「前」側へ向かって、左手側が「左」、右手側が「右」である。Ｚ軸方向を、「上下方向」とする。Ｚ軸方向とは、Ｘ軸方向及びＹ軸方向に対して直交する方向である。
【００１１】
［第一実施形態］
図１は、第一実施形態に係るドライヤを示す側面図である。図２は、第一実施形態に係るドライヤを示す斜視図である。図３は、第一実施形態に係るドライヤを示す断面図である。ドライヤ１０は、ＤＣ電源から供給される電力によって動作する。本実施形態では、ドライヤ１０は、電動工具に使用する電動工具用バッテリ（バッテリ）１００から供給される電力によって動作する。
【００１２】
ドライヤ１０は、ハウジング２０と、ハンドルハウジング３０と、モータ４０と、ファン５０と、ヒータ６０と、バッテリ装着部７０と、制御回路９０（図６参照）とを備える。ドライヤ１０は、さらに電動工具用バッテリ１００を含んでもよい。
【００１３】
ハウジング２０は、ハンドルハウジング３０とともにドライヤ１０の外形を規定する。ハウジング２０は、ハンドルハウジング３０に対して回動可能に配置されている。本実施形態では、ハウジング２０をハンドルハウジング３０に対して９０°回動させた姿勢（第一姿勢）と、ハウジング２０とハンドルハウジング３０とを伸ばした姿勢（第二姿勢）とを取り得る。ハウジング２０は、本体部２１と、吸込口２２と、吹出口２３と、一対の回転軸２４とを有する。
【００１４】
本体部２１は、円筒状に形成されている。本体部２１は、内部にモータ４０とファン５０とヒータ６０とを収容している。本体部２１は、軸方向の両方の端部が開口している。本体部２１は、軸方向の一方の端部側が、ハンドルハウジング３０の上部に回動可能に配置されている。本体部２１は、外周に少なくとも２つの平坦部を有する。平坦部とは、載置面Ｆ上に載置した状態でドライヤ１０を使用可能とする平面部である。本実施形態では、本体部２１は、平坦部２１１と平坦部２１２とを有する。
【００１５】
平坦部２１１は、本体部２１の径方向の外側に形成された矩形状の平面部である。図１に示す第一姿勢において、平坦部２１１は、本体部２１の上部に形成されている。第一姿勢において、平坦部２１１は、バッテリ装着部７０に装着された電動工具用バッテリ１００の下面部１００ａと平行である。平坦部２１１は、本体部２１の軸方向と平行な方向に沿って形成されている。平坦部２１１は、長辺及び短辺の長さが数１０ｍｍ程度である。
【００１６】
平坦部２１２は、本体部２１の一方の端部である。言い換えると、平坦部２１２は、吸込口２２の周縁部である。平坦部２１２は、平坦部２１１と異なる方向に延在している。本実施形態では、平坦部２１２の法線は、平坦部２１１の法線と直交する。第一姿勢において、平坦部２１２は、本体部２１の後部に形成されている。第一姿勢において、平坦部２１２は、バッテリ装着部７０に装着された電動工具用バッテリ１００の側面部１００ｂと平行である。
【００１７】
吸込口２２は、本体部２１の一方の端部に配置されている。言い換えると、吸込口２２は、本体部２１における上流側の端部に配置されている。吸込口２２は、外部の空気を本体部２１の内部に吸い込む。吸込口２２は、ファン５０の上流側に配置されている。吸込口２２は、ファン５０が回転すると、空気をハウジング２０内に吸い込む。吸込口２２は、例えば、毛髪などの異物の吸い込みを規制するため、網目状に形成されている。吸込口２２は、防塵フィルタを有することが好ましい。
【００１８】
吹出口２３は、本体部２１の他方の端部に形成されている。言い換えると、吹出口２３は、本体部２１の下流側の端部に形成されている。吹出口２３は、吸込口２２と向かい合って形成されている。吹出口２３は、本体部２１の内部の空気を外部に吹き出す。吹出口２３は、ファン５０及びヒータ６０の下流側に配置されている。吹出口２３は、ファン５０が回転して本体部２１の内部に吸いこんだ空気を外部に吹き出す。吹出口２３は、例えば、指などの異物の進入を規制するため、格子状に形成されている。
【００１９】
回転軸２４は、本体部２１の外周に一体に形成されている。回転軸２４は、Ｙ軸方向と平行な軸を有する円柱状に形成されている。回転軸２４は、本体部２１の中央部より一方の端部側に配置されている。回転軸２４は、ハンドルハウジング３０の凹部３３に回転可能に係合する。一対の回転軸２４は、同一軸線上に配置されている。
【００２０】
ハンドルハウジング３０は、ユーザが把持する把持部である。ハンドルハウジング３０は、本体部３１と、支持部３２と、一対の凹部３３と、スイッチ部材３４と、信号出力部３５（図６参照）とを有する。
【００２１】
本体部３１は、筒状に形成されている。本体部３１は、ユーザが把持しやすいように縮径された縮径部３１１を有する。縮径部３１１は、ユーザが片手で把持しやすい太さ、形状に形成されている。本体部３１は、ハウジング２０の下側に位置する。本体部３１は、下部にバッテリ装着部７０が配置されている。本体部３１の上部に支持部３２が配置されている。本体部３１と支持部３２とは一体に形成されている。
【００２２】
支持部３２は、ハウジング２０の側方を回動可能に支持する。支持部３２は、Ｘ軸方向視において、Ｕ字形状に形成されている。支持部３２は、ハウジング２０の外周の一部を挟むように配置されている。
【００２３】
凹部３３は、支持部３２の内周に凹状に形成されている。凹部３３は、円柱状に形成されている。一対の凹部３３は、同一軸線上に配置されている。凹部３３は、ハウジング２０の回転軸２４が回転可能に係合する。凹部３３にハウジング２０の回転軸２４が係合することによって、ハンドルハウジング３０に対してハウジング２０が回動する。
【００２４】
凹部３３とハウジング２０の回転軸２４とは、無段階で回動可能であってもよいし、例えば、３０°ごとなど段階的に回動可能であってもよい。凹部３３とハウジング２０の回転軸２４とは、回動した姿勢の保持と解除とを切り替え可能なロック機構を有していることが好ましい。本実施形態では、凹部３３とハウジング２０の回転軸２４とは、第一姿勢と第二姿勢とを保持可能である。
【００２５】
スイッチ部材３４は、ドライヤ１０を操作する。より詳しくは、スイッチ部材３４は、モータ４０に対する電力の供給の入切と、モータ４０の回転速度によって調節可能な風量の切替えと、ヒータ６０に対する電力の供給の入切とを操作する。スイッチ部材３４は、ドライヤ１０の電源スイッチとしての機能を兼ねている。より詳しくは、スイッチ部材３４がユーザによって押下されるたびに、冷風（送風）と、弱温風と、強温風と、風量ゼロ（電源オフ）とが切り替えられる。スイッチ部材３４は、本体部３１の中間部に配置される。スイッチ部材３４は、ユーザがハンドルハウジング３０を把持した手の指で操作可能である。
【００２６】
スイッチ部材３４は、Ｙ軸方向に延在する部材である。スイッチ部材３４は、本体部３１に対して進退可能に配置されている。スイッチ部材３４は、本体部３１に対して押し込まれた後、ユーザが手を離すと元の位置に復帰する。スイッチ部材３４は、信号出力部３５を介して、制御回路９０の制御部９９（図６参照）と電気的に接続されている。
【００２７】
信号出力部３５は、スイッチ部材３４が押し込まれるたびに信号を出力する。より詳しくは、スイッチ部材３４が本体部３１に押し込まれることにより、スイッチ部材３４と信号出力部３５とが接触し、信号出力部３５から信号が出力される。
【００２８】
スイッチ部材３４が操作されると、信号出力部３５において信号が生成されて、制御部９９に入力される。例えば、スイッチ部材３４がユーザによって押下されるたびに、モータ４０を低速で回転する電力の供給の開始と、ヒータ６０に対する電力の供給の開始と、モータ４０を高速で回転する電力の供給の開始と、モータ４０及びヒータ６０に対する電力の供給の停止とを切り替える制御を行わせる信号が制御部９９に入力される。言い換えると、スイッチ部材３４がユーザによって押下されるたびに、冷風と、弱温風と、強温風と、風量ゼロとを順番に切り替える制御を行わせる信号が制御部９９に入力される。
【００２９】
このような構成のハウジング２０及びハンドルハウジング３０は、内部への水及び塵埃の進入を規制するために、例えば、図４に示すような、防水・防塵構造を有する。図４は、第一実施形態に係るドライヤの防水・防塵構造の一例を示す断面図である。ハウジング２０及びハンドルハウジング３０は、外部と内部とを連通する部分、及び、半割れ形状の２つの部材を組み付ける部分において、ラビリンス構造を有する。
【００３０】
図３に戻って、モータ４０は、ドライヤ１０の駆動源である。モータ４０は、電動工具用バッテリ１００から供給される電力によって駆動する。モータ４０の回転力は、出力軸４１から出力される。モータ４０は、制御回路９０の制御部９９に接続されている。モータ４０は、制御部９９からの制御信号によって駆動と停止とが制御される。
【００３１】
出力軸４１は、モータ４０の回転力をファン５０に伝達する。出力軸４１は、モータ４０の回転軸と同一軸線上に連結されている。
【００３２】
ファン５０は、モータ４０を駆動源とする。ファン５０は、出力軸４１を介して伝達されたモータ４０の回転力によって回転する。本実施形態では、ファン５０は、軸流ファンである。ファン５０は、モータ４０の上流側に配置されている。ファン５０が回転して発生した軸流は、下流側に連結されたヒータ６０に接触する。また、ファン５０が回転して発生した軸流がモータ４０の外周を通過することにより、モータ４０を冷却可能である。
【００３３】
ヒータ６０は、ファン５０によって生じた軸流の空気を温める。ヒータ６０は、空気が通過する流路上に配置されている。ヒータ６０は、モータ４０の上流側または下流側に配置される。本実施形態では、ヒータ６０は、モータ４０の下流側に配置されている。ヒータ６０は、伝熱線と、伝熱線を収容したケーシングとを含んでユニット化されている。ヒータ６０は、通電されることによって発熱する伝熱線である。ヒータ６０は、制御回路９０の制御部９９に接続されている。ヒータ６０は、制御部９９からの制御信号によって駆動と停止とが制御される。
【００３４】
図５を用いて、バッテリ装着部７０について説明する。図５は、第一実施形態に係るドライヤのバッテリ装着部を示す斜視図である。バッテリ装着部７０は、ハンドルハウジング３０の本体部３１の外周の下部に配置されている。バッテリ装着部７０は、電動工具用バッテリ１００を着脱可能である。バッテリ装着部７０は、電動工具用バッテリ１００を制御回路９０に接続するアダプタとしての機能を有する。バッテリ装着部７０に電動工具用バッテリ１００が装着されると、電動工具用バッテリ１００と制御回路９０とが電気的に接続される。バッテリ装着部７０は、電動工具用バッテリ１００が装着される装着面７１を有する。
【００３５】
装着面７１は、下方を向くバッテリ装着部７０の下面を含む。バッテリ装着部７０は、図示しない装着端子を有する。装着端子は、バッテリ装着部７０の装着面７１に配置される。
【００３６】
図６を用いて、制御回路９０について説明する。図６は、第一実施形態に係るドライヤを示すブロック図である。本実施形態では、制御回路９０は、ハウジング２０の内部に配置されている。制御回路９０は、制御部９９を有する。
【００３７】
制御部９９は、演算処理を行うＣＰＵ（Ｃｅｎｔｒａｌ  Ｐｒｏｃｅｓｓｉｎｇ  Ｕｎｉｔ）と、プログラムを格納したメモリとを備える。制御部９９は、ドライヤ１０の動作を制御する。制御部９９は、信号出力部３５から信号を受信すると、ドライヤ１０を制御する。制御部９９は、モータ４０及びヒータ６０に対する電力の供給の開始と停止とを制御する。より詳しくは、制御部９９は、信号出力部３５から信号を受信するたびに、モータ４０を低速で回転する電力の供給の開始と、ヒータ６０に対する電力の供給の開始と、モータ４０を高速で回転する電力の供給の開始と、モータ４０及びヒータ６０に対する電力の供給の停止とを切り替える制御を行う。言い換えると、制御部９９は、信号出力部３５から信号を受信するたびに、冷風と、弱温風と、強温風と、風量ゼロとを順番に切り替える制御を行う。
【００３８】
制御部９９は、電動工具用バッテリ１００の電圧をモータ４０とヒータ６０とに合わせた電圧を変換する電源回路を含む。制御部９９は、信号出力部３５からの信号に応じて、モータ４０の回転速度を制御するモータ制御回路を含む。制御部９９は、信号出力部３５からの信号に応じて、ヒータ６０の発熱量を制御するヒータ制御回路を含む。制御部９９は、ヒータ６０の異常発熱、または、過負荷（過電流）からヒータ６０を保護するヒータ異常検出回路を含む。
【００３９】
電動工具用バッテリ１００は、モータ４０に電力を供給する。電動工具用バッテリ１００は、携帯用の電動工具の電源である。電動工具用バッテリ１００は、電気的に接続された複数のリチウムイオン電池セルが内蔵されている。電動工具用バッテリ１００は、図示しない充電器で充電して繰り返し使用することが可能である。
【００４０】
電動工具用バッテリ１００は、図示しないバッテリ端子を有する。バッテリ端子は、電動工具用バッテリ１００の上面に配置される。電動工具用バッテリ１００は、電動工具用バッテリ１００の前部において上方に隆起する隆起部１０１を有する。電動工具用バッテリ１００は、下面部１００ａと側面部１００ｂとが平坦に形成されている。本実施形態では、バッテリ装着部７０に装着された電動工具用バッテリ１００の下面部１００ａと側面部１００ｂとは、平坦部として機能する。
【００４１】
電動工具用バッテリ１００は、バッテリ装着部７０にスライドすることで着脱可能である。電動工具用バッテリ１００をバッテリ装着部７０に装着するとき、電動工具用バッテリ１００の上面と装着面７１とが対向するように、電動工具用バッテリ１００をバッテリ装着部７０の前方から後方へスライドさせる。電動工具用バッテリ１００をスライドさせることによって、隆起部１０１の後部がバッテリ装着部７０の前部に当接する。また、電動工具用バッテリ１００の上面には電動工具用バッテリ１００の上面から突出するバッテリ爪１０２が設けられる。バッテリ爪１０２は、弾性部材により上方に付勢される。バッテリ爪１０２は、バッテリ装着部７０の前部に設けられたバッテリ装着凹部７２に挿入される。これにより、電動工具用バッテリ１００とバッテリ装着部７０とが位置決めされ、電動工具用バッテリ１００がバッテリ装着部７０に装着される。
【００４２】
電動工具用バッテリ１００がバッテリ装着部７０に装着された状態において、電動工具用バッテリ１００の上面と装着面７１とが対向する。また、電動工具用バッテリ１００がバッテリ装着部７０に装着された状態において、バッテリ端子と装着端子とが接続される。これにより、電動工具用バッテリ１００とバッテリ装着部７０とが電気的に接続される。
【００４３】
バッテリ装着部７０から電動工具用バッテリ１００を外すとき、バッテリボタン１０３が操作される。バッテリボタン１０３は、バッテリ爪１０２を付勢する弾性部材と接続される。したがって、バッテリボタン１０３が操作されることにより、バッテリ爪１０２がバッテリ装着凹部７２から外れ、バッテリ装着部７０から電動工具用バッテリ１００が解放される。バッテリ装着部７０から電動工具用バッテリ１００を前方にスライドさせることによって、バッテリ装着部７０から電動工具用バッテリ１００が外される。
【００４４】
次に、このように構成されたドライヤ１０の使用方法と作用とについて説明する。
【００４５】
図１に示すように、ユーザは、ハンドルハウジング３０を片手で把持して使用してもよい。ドライヤ１０は、第一姿勢及び第二姿勢のどちらにしてもよい。
【００４６】
または、図７、図８に示すように、ユーザは、ドライヤ１０をテーブルのような載置面Ｆ上に載置して使用してもよい。図７は、第一実施形態に係るドライヤの使用方法の一例を示す概略図である。図８は、第一実施形態に係るドライヤの他の使用態様を示す概略図である。図７に示すように、ユーザは、ハンドルハウジング３０を起立させて載置面Ｆ上に載置してもよい。図７に示すように、ハンドルハウジング３０を起立させた使用態様を、第一使用態様という。この場合、電動工具用バッテリ１００の下面部１００ａが載置面Ｆ上に載置されている。ドライヤ１０は、第一姿勢及び第二姿勢のどちらにしてもよい。
【００４７】
または、ユーザは、図８に示すように、ハンドルハウジング３０を倒して載置面Ｆ上に載置してもよい。図８に示すように、ハンドルハウジング３０を倒した使用態様を、第二使用態様という。実線で示すように、第一姿勢においては、電動工具用バッテリ１００の側面部１００ｂとハウジング２０の平坦部２１２とが載置面Ｆ上に載置されている。この場合、吸込口２２の少なくとも一部が載置面Ｆ上によって塞がれていないものとする。または、破線で示すように、第二姿勢においては、電動工具用バッテリ１００の側面部１００ｂとハウジング２０の平坦部２１１とが載置面Ｆ上に載置されている。このように、第一姿勢と第二姿勢とでは、複数の平坦部のうち異なる平坦部が載置面上に載置される。また、第一姿勢と第二姿勢とでは、電動工具用バッテリ１００の外周の平坦部と、ハウジングの平坦部との２つの平坦部とが載置面Ｆ上に載置されるので安定する。
【００４８】
ドライヤ１０を載置面Ｆ上に載置する場合、いずれの場合でも、重量物である電動工具用バッテリ１００を下にして載置面Ｆ上に載置されるので安定する。本実施形態では、ドライヤ１０を載置面Ｆ上に載置する場合、いずれの場合でも、電動工具用バッテリ１００に配置された平坦部が載置面Ｆ上に載置される。
【００４９】
そして、ユーザは、ドライヤ１０のスイッチ部材３４を操作して使用する。スイッチ部材３４が操作されると、冷風と、弱温風と、強温風と、風量ゼロとが順番に切り替えられる。モータ４０を駆動してファン５０を回転させると、吸込口２２より、ハウジング２０の外部の空気がハウジング２０の内部に吸いこまれる。弱温風または強温風を吹き出す操作がされると、吸込口２２から流入した空気は、通電されたヒータ６０によって加熱されて、吹出口２３から温風が吹き出される。冷風を吹き出す操作がされると、吸込口２２から流入した空気は、温められずに、吹出口２３から吹き出される。
【００５０】
以上説明したように、本実施形態は、ドライヤ１０が、電動工具用バッテリ１００から供給される電力によって動作する。本実施形態によれば、例えば、アウトドアまたは作業現場のような商用電源から電力の供給を受けることができないような場所でも、ドライヤ１０を使用することができる。
【００５１】
本実施形態は、ハウジング２０をハンドルハウジング３０に対して回動させて、吹出口２３の向きを変えた姿勢で使用することができる。これにより、本実施形態は、用途に合わせて、ドライヤ１０の吹出口２３の向きを変えた姿勢で使用することができる。
【００５２】
本実施形態は、第一姿勢と第二姿勢とのどちらでも、ドライヤ１０の平坦部を載置面Ｆ上に載置して使用することができる。また、本実施形態では、重量物である電動工具用バッテリ１００が載置面Ｆ上に載置されるので、安定した姿勢で使用することができる。このように、本実施形態によれば、使用時にユーザの両手が空くので、利便性を向上することができる。
【００５３】
本実施形態は、図８に示すように、ハウジング２０をハンドルハウジング３０に対して回動させて異なる姿勢にしたときに、電動工具用バッテリ１００の側面部１００ｂとハウジング２０の平坦部２１１、または、電動工具用バッテリ１００の側面部１００ｂと平坦部２１２が載置面Ｆ上に載置される。本実施形態は、第一姿勢と第二姿勢とのどちらでも、２つの平坦部が載置面Ｆ上に載置されるので、安定した姿勢で使用することができる。
【００５４】
本実施形態は、ドライヤ１０を載置して使用する際に、スタンドなど他の部材を使用せずに載置面Ｆ上に載置することができる。本実施形態によれば、限られたスペースの載置面Ｆ上にも載置することができる。また、本実施形態は、ドライヤ１０にスタンドなどを組み付けて大型化することを抑制することができる。これにより、本実施形態は、携帯性を向上することができる。
【００５５】
本実施形態では、ハウジング２０及びハンドルハウジング３０は、外部と内部とを連通する部分、及び、半割れ形状の２つの部材を組み付ける部分において、防水・防塵構造を有する。本実施形態によれば、例えば、アウトドアまたは作業現場のような屋外でも使用することができる。
【００５６】
このようにして、本実施形態は、ドライヤ１０を、毛髪を乾燥するだけではなく、衣料品を乾燥させたり、部材を温めたりするなど他の用途にも使用することができる。本実施形態によれば、ドライヤ１０を様々な用途に使用することができる。
【００５７】
［第二実施形態］
図９ないし図１１を参照しながら、本実施形態に係るドライヤ１０について説明する。図９は、第二実施形態に係るドライヤを示す側面図である。図１０は、第二実施形態に係るドライヤの使用方法の一例を示す概略図である。図１１は、第二実施形態に係るドライヤの他の使用態様を示す概略図である。ドライヤ１０は、基本的な構成は第一実施形態のドライヤ１０と同様である。以下の説明においては、ドライヤ１０と同様の構成要素には、同一の符号または対応する符号を付し、その詳細な説明は省略する。ドライヤ１０は、アタッチメント（乾燥用保持部材）１１０を装着して、例えば、衣服または靴などの乾燥に使用する。
【００５８】
アタッチメント１１０は、乾燥させる衣服、靴、手袋などの対象物を保持可能である。アタッチメント１１０は、ハウジング２０に着脱可能である。アタッチメント１１０は、ハンガー形状に形成されている。アタッチメント１１０は、本体部１２０と、一対のアーム部１３０と、フック部１４０とを有する。本体部１２０と一対のアーム部１３０とが、保持部である。言い換えると、保持部は、本体部１２０と一対のアーム部１３０とを含む。本体部１２０と一対のアーム部１３０とは、乾燥させる対象物を保持する。
【００５９】
本体部１２０は、筒状に形成されている。本体部１２０は、Ｙ軸方向視において、Ｔ字形状に形成されている。本体部１２０は、基部１２１と、一対の腕部１２２と、連結口１２３と、一対の開口１２４と、一対の回転軸１２５とを有する。基部１２１と腕部１２２とは、一体に形成されている。基部１２１の内部と腕部１２２の内部とは、連通している。基部１２１は、筒状に形成されている。腕部１２２は、筒状に形成されている。連結口１２３は、基部１２１の端部に形成されている。連結口１２３は、ハウジング２０と連結可能である。連結口１２３の内径は、ハウジング２０の本体部２１の他方の端部を着脱可能に嵌合する大きさ、形状である。開口１２４は、腕部１２２の端部に形成されている。開口１２４は、アーム部１３０と連結されている。回転軸１２５は、腕部１２２とアーム部１３０とを回動可能に連結する。このように構成された本体部１２０は、吹出口２３から吹き出されて、連結口１２３から流入した空気を、開口１２４からアーム部１３０へ流入させる。
【００６０】
アーム部１３０は、軸方向の両方の端部が開口した筒状に形成されている。アーム部１３０は、回転軸１２５を介して、本体部１２０に回動可能に連結されている。アーム部１３０は、本体部１２０の開口１２４と連結する。アーム部１３０の内部は、本体部１２０の内部と連通する。アーム部１３０は、周面に通気口１３１が形成されている。このように構成されたアーム部１３０は、本体部１２０から流入した空気を、通気口１３１と下流側の端部に形成された開口１３２とから流出させる。
【００６１】
フック部１４０は、基部１２１の上部に配置されている。フック部１４０は、基部１２１に対して回動可能に配置されている。
【００６２】
図１０に示すように、ユーザは、アタッチメント１１０の一対のアーム部１３０を左右方向に伸ばす。ユーザは、ハウジング２０の本体部２１の他方の端部にアタッチメント１１０を装着する。ユーザは、アタッチメント１１０の本体部１２０と一対のアーム部１３０とに、乾燥したい衣服を被せる。
【００６３】
図１１に示すように、ユーザは、アタッチメント１１０の一対のアーム部１３０を回動させて上方向に伸ばす。ユーザは、ハウジング２０の本体部２１の他方の端部にアタッチメント１１０を装着する。ユーザは、アタッチメント１１０のアーム部１３０に、例えば、靴、手袋、または、靴下などを被せる。
【００６４】
ドライヤ１０が起動すると、吹出口２３から吹き出された空気が、連結口１２３から本体部１２０の内部へ流入する。本体部１２０の内部を通過した空気が、開口１２４からアーム部１３０へ流入する。アーム部１３０を通過した空気が、通気口１３１と開口１３２とから外部へ流出する。このようにして、衣服、靴、手袋、または、靴下の内側に空気が送られて、乾燥される。
【００６５】
以上説明したように、本実施形態によれば、ドライヤ１０にアタッチメント１１０を装着することで、例えば、衣服、靴、手袋、または、靴下などの乾燥に使用することができる。
【００６６】
［第三実施形態］
図１２を参照しながら、本実施形態に係るドライヤ１０について説明する。図１２は、第三実施形態に係るドライヤを示す側面図である。ドライヤ１０は、アタッチメント（ブロアノズル部材）１５０を装着して、ブロアとして使用する。
【００６７】
アタッチメント１５０は、円筒状に形成されている。アタッチメント１５０は、ハウジング２０に着脱可能である。アタッチメント１５０は、ハウジング２０の本体部２１の他方の端部に連結可能である。アタッチメント１５０の内部は、吹出口２３と連通する。アタッチメント１５０は、軸方向の両方の端部が開口した本体部１５１と、本体部１５１の一方の端部に配置された連結口１５２と、本体部１５１の他方の端部に配置された第二吹出口１５３とを有する。連結口１５２は、ハウジング２０の本体部２１の他方の端部と連結する。連結口１５２の内径は、ハウジング２０の本体部２１の他方の端部を着脱可能に嵌合する大きさ、形状である。本体部１５１は、第二吹出口１５３の近傍において縮径されている。第二吹出口１５３の内径は、連結口１５２の内径より小径である。
【００６８】
ユーザは、ハウジング２０の本体部２１の他方の端部にアタッチメント１５０を装着する。
【００６９】
ドライヤ１０が起動すると、吹出口２３から吹き出された空気が、連結口１５２から本体部１５１の内部へ流入する。本体部１５１の内部を通過した空気が、第二吹出口１５３から外部に吹き出される。第二吹出口１５３の内径が連結口１５２の内径より小径であるので、第二吹出口１５３から吹き出す空気の流速は連結口１５２における流速より速くなる。
【００７０】
以上説明したように、本実施形態によれば、ドライヤ１０にアタッチメント１５０を装着することで、ブロアとして使用することができる。
【００７１】
［第四実施形態］
図１３を参照しながら、本実施形態に係るドライヤ１０について説明する。図１３は、第四実施形態に係るドライヤを示す側面図である。ドライヤ１０は、アタッチメント（循環部材）１６０を装着して使用する。ドライヤ１０は、アタッチメント１６０を装着して、例えば、配管などに充填された薬剤を温めたり、溶融したりする際に使用する。
【００７２】
アタッチメント１６０は、可撓性を有するホース状に形成されている。アタッチメント１６０は、ハウジング２０に着脱可能である。アタッチメント１６０は、ハウジング２０の本体部２１の一方の端部に連結可能である。アタッチメント１６０の内部は、吸込口２２と連通する。アタッチメント１６０は、パイプ状のパイプ部１６１と、パイプ部１６１の一方の端部に配置された開口１６２と、パイプ部１６１の他方の端部に配置された連結口１６３とを有する。開口１６２は、吹出口２３から吹き出された空気が流入する。連結口１６３は、吸込口２２と連結する。連結口１６３の内径は、ハウジング２０の本体部２１の一方の端部を着脱可能に嵌合する大きさ、形状である。
【００７３】
ユーザは、ハウジング２０の本体部２１の他方の端部にアタッチメント１６０を装着する。ユーザは、吹出口２３と、アタッチメント１６０の開口１６２との間に、例えば、薬剤が充填された配管などの過熱対象の部材を位置付ける。
【００７４】
ドライヤ１０が起動すると、吹出口２３から吹き出された空気が、過熱対象物を温めた後、開口１６２からパイプ部１６１の内部に流入する。パイプ部１６１の内部を通過した空気が、連結口１６３を通過して、吸込口２２から再び内部に流入する。このように、吹出口２３から吹き出された空気が、アタッチメント１６０によって、吸込口２２から内部へ戻されて循環する。
【００７５】
以上説明したように、本実施形態によれば、過熱対象物を加熱するためにドライヤ１０から吹き出された温風を、アタッチメント１６０を介して循環して使用することができる。本実施形態によれば、ヒータ６０における消費電力を抑制することができる。
【００７６】
［第五実施形態］
図１４を参照しながら、本実施形態に係るドライヤ１０について説明する。図１４は、第五実施形態に係るドライヤを示す側面図である。ドライヤ１０は、アタッチメント（延長部材）１７０を装着して使用する。
【００７７】
アタッチメント１７０は、可撓性を有するホース状に形成されている。アタッチメント１７０は、ハウジング２０に着脱可能である。アタッチメント１７０は、ハウジング２０の本体部２１の他方の端部に連結可能である。アタッチメント１７０の内部は、吹出口２３と連通する。アタッチメント１７０は、パイプ状のパイプ部１７１と、パイプ部１７１の一方の端部に配置された連結口１７２と、パイプ部１７１の他方の端部に配置された第二吹出口１７３とを有する。連結口１７２は、ハウジング２０の本体部２１の他方の端部と連結する。連結口１７２の内径は、ハウジング２０の本体部２１の他方の端部を着脱可能に嵌合する大きさ、形状である。
【００７８】
ユーザは、ハウジング２０の本体部２１の他方の端部にアタッチメント１７０を装着する。ユーザは、ドライヤ１０から離れた位置に、アタッチメント１７０の第二吹出口１７３を向ける。
【００７９】
ドライヤ１０が起動すると、吹出口２３から吹き出された空気が、連結口１７２からパイプ部１７１の内部に流入する。パイプ部１７１の内部を通過した空気が、第二吹出口１７３から外部に吹き出される。
【００８０】
以上説明したように、本実施形態によれば、アタッチメント１７０を使用することによって、ドライヤ１０から離れた位置に温風を吹き出すことができる。
【００８１】
［第六実施形態］
図１５、図１６を参照しながら、本実施形態に係るドライヤ１０について説明する。図１５は、第六実施形態に係るドライヤを示す正面図である。図１６は、第六実施形態に係るドライヤを示す断面図である。ドライヤ１０Ａは、ハウジング２０Ａとハンドルハウジング３０Ａとが一体に形成されている点で第一実施形態と異なる。
【００８２】
ハウジング２０Ａは、ハンドルハウジング３０Ａの軸方向の端部に配置されている。ハウジング２０Ａは、ハンドルハウジング３０Ａに対して回動しない。ハウジング２０Ａは、筒状に形成された本体部２１Ａと、本体部２１Ａの一方の端部に形成された吸込口２２Ａと、本体部２１Ａの他方の端部に形成された吹出口２３Ａとを有する。ハウジング２０Ａとハンドルハウジング３０Ａとは同一軸線状に固定されている。本体部２１Ａは、他方の端部において、吹出口２３Ａに向かうにつれて縮径されている。
【００８３】
ハウジング２０Ａの内部には、モータ４０と、ファン５０と、ヒータ６０とが配置されている。ファン５０は、モータ４０の下流側であって、ヒータ６０の上流側に配置されている。
【００８４】
ハンドルハウジング３０Ａの外径は、本体部２１Ａの一方の端部の内径より小さい径を有する。本体部２１Ａの一方の端部において、本体部２１Ａの内径とハンドルハウジング３０Ａの外径とに段差が生じる。この段差部に吸込口２２Ａが形成されている。
【００８５】
ユーザは、ドライヤ１０Ａのハンドルハウジング３０Ａを把持して使用する。
【００８６】
以上説明したように、本実施形態によれば、ハウジング２０Ａとハンドルハウジング３０Ａとが一体に形成されているので、ドライヤ１０Ａを小型化することができる。また、本実施形態は、ドライヤ１０Ａを簡易な構成とすることができる。
【００８７】
上記では、ドライヤ１０は、１つの電動工具用バッテリ１００によって動作するものとして説明したがこれに限定されない。図１７に示すように、バッテリ装着部７０Ｂは、複数の電動工具用バッテリ１００を着脱可能であってもよい。複数の電動工具用バッテリ１００は、直列に接続されている。図１７は、ドライヤのバッテリ装着部の他の例を示す正面図である。本実施形態では、バッテリ装着部７０Ｂは、２つの電動工具用バッテリ１００を着脱可能である。バッテリ装着部７０Ｂは、２つの装着面７１Ｂを有する。バッテリ装着部７０Ｂは、２つの電動工具用バッテリ１００がＹ軸方向に並んで配置される。これにより、ドライヤ１０を長時間使用することができる。また、ドライヤ１０を載置するときに、より安定した姿勢にすることができる。なお、複数の電動工具用バッテリ１００は、並列に接続されてもよい。
【００８８】
上記では、電動工具用バッテリ１００から供給される電力によって駆動するものとして説明したが、商用電源等の交流電源から供給される電力によって駆動するものであってもよい。
【００８９】
上記では、平坦部がハウジング２０とバッテリ装着部７０に装着された電動工具用バッテリ１００とに形成されているものとして説明したが、これに限定されない。平坦部は、ハウジング２０の外周とハンドルハウジング３０の外周とバッテリ装着部７０に装着された電動工具用バッテリ１００との少なくともいずれかに配置されていればよい。また、平坦部は、複数配置されていることが好ましい。
【００９０】
上記のドライヤ１０は、例えば、壁面に固定されたピンまたはロープなどに吊り下げ可能にするため、ハウジング２０の外周とハンドルハウジング３０の外周との少なくともどちらかに、フック部材を含む吊下部材を有していてもよい。これにより、ドライヤ１０を様々な用途に使用することができる。
【００９１】
上記のアタッチメント１１０は、可撓性を有するシート材を袋状にして形成してもよい。アタッチメント１１０は、ドライヤ１０が起動すると、空気によって膨らんでハンガー形状となる。アタッチメント１１０は、ドライヤ１０が停止すると、空気が抜けてしぼんで平面状となる。これにより、アタッチメント１１０を折り畳んで収容・運搬することができる。
【００９２】
上記において、各アタッチメントとハウジング２０とを電気的に接続可能として、各アタッチメントにスイッチ部材を配置してもよい。これにより、操作性を向上することができる。
【００９３】
上記において、各アタッチメントは、収容時・運搬時、ハウジング２０の外周に係合可能に形成されていてもよい。例えば、ハウジング２０の外周に係合凹部が配置され、アタッチメントの外周に係合凸部が配置され、組み付け可能になっていてもよい。
【００９４】
上記では、ハンドルハウジング３０の支持部３２が、ハウジング２０の側方を回動可能に支持するものとして説明したが、ハウジング２０とハンドルハウジング３０との連結方法はこれに限定されない。例えば、ハウジング２０の本体部２１の後側の下部に配置された、下方に突出したＵ字形状の支持部、または、本体部２１の後側に配置された、後方に突出したＵ字形状の支持部が、ハンドルハウジング３０の側方を回動可能に支持してもよい。
【符号の説明】
【００９５】
１０…ドライヤ、２０…ハウジング、２１…本体部、２１１…平坦部、２１２…平坦部、２２…吸込口、２３…吹出口、２４…回転軸、３０…ハンドルハウジング、３１…本体部、３２…支持部、３３…凹部、３４…スイッチ部材、３５…信号出力部、４０…モータ、５０…ファン、６０…ヒータ、７０…バッテリ装着部、９０…制御回路、９９…制御部、１００…電動工具用バッテリ（バッテリ）。
【図１】
2019217104.tif 000003
【図２】
2019217104.tif 000004
【図３】
2019217104.tif 000005
【図４】
2019217104.tif 000006
【図５】
2019217104.tif 000007
【図６】
2019217104.tif 000008
【図７】
2019217104.tif 000009
【図８】
2019217104.tif 000010
【図９】
2019217104.tif 000011
【図１０】
2019217104.tif 000012
【図１１】
2019217104.tif 000013
【図１２】
2019217104.tif 000014
【図１３】
2019217104.tif 000015
【図１４】
2019217104.tif 000016
【図１５】
2019217104.tif 000017
【図１６】
2019217104.tif 000018
【図１７】
2019217104.tif 000019